(57)【特許請求の範囲】
【請求項１】
ウォブル位相変調フォーマット、または、ランドプリピットフォーマットの光ディスクに対しデータブロック単位で記録制御を行う光ディスク記録装置であって、
ウォブル位相変調部から第１の同期信号を検出し、光ディスク上のアドレス情報、付加データを検出する第１の検出手段と、
該第１の検出手段で検出された複数のアドレス情報より、データブロックアドレスを判定する判定手段と、
該データブロックアドレスおよび該付加データに対しランドプリピットフォーマットに準じた第２の同期信号を含む第１の転送信号を生成し、次のデータブロック再生期間において、該第１の検出手段において検出された第１の同期信号の検出タイミングに基づき、該第１の転送信号を出力する生成手段と、
光ディスク上のランドプリピット再生で得られる第２の転送信号と、第１の転送信号を選択出力する選択手段と、
選択後の転送信号に含まれるブロックアドレスを検出する第２の検出手段と、
検出ブロックアドレスより目的のトラック位置を特定し、変調信号の生成、出力を制御する制御手段と、
を具備することを特徴とする光ディスク記録装置。
【請求項２】
ウォブル位相変調フォーマット、または、ランドプリピットフォーマットの光ディスクに対し光ディスク回転制御を行いながらデータブロック単位で記録制御を行う光ディスク記録装置であって、
ウォブル位相変調部から第１の同期信号を検出し、光ディスク上のアドレス情報、付加データを検出する第１の検出手段と、
該第１の検出手段で検出された複数のアドレス情報より、データブロックアドレスを判定する判定手段と、
該データブロックアドレスおよび該付加データに対しランドプリピットフォーマットに準じた第２の同期信号を含む第１の転送信号を生成し、次のデータブロック再生期間において、該第１の検出手段において検出された第１の同期信号の検出タイミングに基づき、該第１の転送信号を出力する生成手段と、
光ディスク上のランドプリピット再生で得られる第２の転送信号と、第１の転送信号を選択出力する選択手段と、
選択後の転送信号に含まれる第２の同期信号を検出する第２の検出手段と、
第２の同期信号の出現周期より、光ディスク回転速度を制御する制御手段と、
を具備することを特徴とする光ディスク記録装置。
【発明の詳細な説明】
【０００１】
【発明の属する技術分野】
本発明は、データ転送方法及び、光ディスク記録装置に関し、特に光ディスク記録媒体に対し情報の追記、書換えを行う際に必要となるデータ転送方法及び、光ディスク記録装置に関する。
【０００２】
【従来の技術】
大容量の光ディスク記録媒体としてDVD（Digital Versatile Disc）が挙げられ、情報の記録が可能な記録媒体として追記型のDVD-R、書換え型のDVD-RW、DVD+RW、DVD-RAMが近年開発された。これらの光ディスクには、未記録状態であっても光ディスク上の記録位置（トラック）を特定する目的で、アドレス情報、付加情報、同期信号が記録されている。
【０００３】
上記アドレス情報、付加情報の変調方法については例えば、特開２００１−１１００６１に示されるようにランドプリピット（以下、LPPと称す）フォーマットとウォブル位相変調（Wobble Phase Modulation以下、PMと称す）フォーマットが挙げられ、LPPフォーマットはDVD-R、DVD-RWに、PMフォーマットはDVD＋RWに採用されている。ここでPMフォーマット、LPPフォーマットについて図２，図３を用いて説明する。
【０００４】
図２はPMフォーマットの一例を示しており、図２（ａ）はウォブル位相変調方法と、同期信号、変調データ、記録トラック上に記録マークの列として記録されるデータフレームとウォブルの位置関係を示す。図２（ｂ）は変調データより構成され、ウォブル位相変調によりウォブルに変調される情報データの構成単位であるＡＤＩＰ（address in pre-groove）ワードを示し、さらにＡＤＩＰワードとＤＶＤのデータ記録単位であるＥＣＣブロックに含まれるＡＤＩＰワード数の関係を示す。図２（ｃ）はＥＣＣブロック単位での書き換え、追記の方法、ＥＣＣブロック先頭、終端とウォブルの位置関係を示してある。
【０００５】
図２（ａ）においてウォブル位相変調部分はウォブル同士の位相差が生じる部分であり、その位相変調部の出現間隔で、ＡＤＩＰワードの先頭に当たるワードシンク、各データビットの先頭に当たるビットシンクが区別され、ビットシンクから次の位相変調部までの出現間隔の違いでデータビットとして０データ、１データを識別する。ワードシンク、或いは、ビットシンクの出現周期はウォブル数にして９３ウォブルであり、１ウォブルあたり32Ｔ（Ｔは光ディスク上の記録マーク長の基本単位であるチャネルビット、Ｔ＝26.16ＭＨｚ）である。９３個のウォブルとデータフレームとの関係は、９３ウォブルにつき２フレーム（1488T×２）であり、ワード、ビットシンク先頭に対するウォブルから１７番目のウォブル位置（すなわち、Wobble 16の始点）とデータフレーム先頭の同期信号（フレームsyncの始点）が対応する位置関係である。
【０００６】
図２（ｂ）においてＡＤＩＰワードは６．５バイトで構成され、104フレーム分（１セクタ26フレームで４セクタ）に含まれるウォブル信号に５２ビット分のデータがウォブル位相変調される。ADIPワードの内部構成は、先頭のワードシンクに相当するデータビット０（＝０固定）とＡＤＩＰアドレス（データ０とデータ１〜２３の３バイト）、ＡＵＸ（auxiliary）データ（データ２４〜３１の１バイト）、ADIPアドレス、AUXデータに含まれる誤りを訂正する誤り訂正符号（データ32〜51の２．５バイト）からなる。一つのＡＤＩＰワードにつき108フレーム（４セクタ）であることから、光ディスクへの記録単位である１ＥＣＣブロック（16セクタ）分には４つのADIPワード、アドレス情報が含まれ、記録目的位置へのアクセス信頼性を確保している。
【０００７】
図２（ｃ）においてはＥＣＣブロック単位での書換え、または、追記を行う目的で、記録目的のＥＣＣブロックの前に８Ｔ分のダミーデータを加え、前ＥＣＣブロックの終端８Ｔから、ダミーデータの記録を開始し、ＥＣＣブロック同士のつなぎ記録を行う。記録終了の際には、ＥＣＣブロック終端８Ｔ分のデータは光ディスク上に記録しない。ＥＣＣブロック同士のつなぎ領域はＥＣＣブロック終端の８Tに相当することになり、冗長な領域の生成や、再生時、記録位置のずれによるECCブロック内のエラー伝播を最小に押さえている。ダミーデータの記録開始領域、ECCブロック終端領域と、ウォブルの位置関係は、データフレームの先頭手前１６番目のウォブル内に収まるように規定されている。
【０００８】
図３はLPPフォーマットの一例を示しており、図３（ａ）はウォブルとLPPの位置関係、LPPが刻まれるランドトラック上のLPPの配置と記録トラックであるグルーブトラック上のデータフレームの位置関係、LPPとして変調されるデータ単位の一つであるLPPデータの構成を示す。図３（ｂ）はLPPとして変調される同期信号パターン、データパターンの変調則の一例を示す。図３（ｃ）は複数のLPPデータから構成され、アドレス情報他のデータ構成を示す。
【０００９】
図３（ａ）において、LPPは記録マークを生成するグルーブトラックに隣接するランドトラックに溝として刻まれ、１つのウォブル（186Ｔ）あたりLPP１つを割り当て、３つ連続するウォブル内に存在するプリピットの位置により、同期信号、データが変調される。更にLPPの刻まれるウォブル位置とグルーブトラック上に記録されるデータフレーム先頭の同期信号が対応する。LPPデータは１セクタ、２６フレームあたりLPP同期信号を含む１３ビットが変調され、偶数番目のフレームと奇数番目のフレームにLPPデータが２重に変調される。LPPデータはアドレス情報等の構成要素であるデータビット８ビットを含む。図３（ｂ）はLPPによる同期信号、０データ、１データの変調方法を示している。図３（ｃ）はLPPによるアドレス情報等の構成について示してある。LPPフォーマットの場合１ＥＣＣブロック長に相当する１６個のLPPデータに含まれるデータビット８ビットの合計１６バイト内にＥＣＣアドレス３バイト、それに対する３バイト訂正符号であるパリティＡ、続く６バイト分のデータ内容の識別を行うフィールドＩＤ１バイト、フィールドＩＤに含まれる値により、先のＥＣＣアドレスと同じ値のＥＣＣアドレス３バイト、ＡＵＸデータなど計６バイトと、それに対する３バイト訂正符号であるパリティＢで構成する。
【００１０】
光ディスクに対し記録を行う際に、光ディスク記録装置はアドレス情報、AUXデータを検出する。更にアドレス情報から情報の記録開始位置へシークを行い、光ディスクに対する記録制御を行う。同時に同期信号の検出タイミングから、現在の光ディスク回転数を計測、目的の回転数への引き込み、CLV(constant linear velocity：線速度一定)制御を行う。従って光ディスク上の記録トラックにおける記録マークの生成とウォブルとの同期化が図られ、記録情報の書換えや、追記記録が可能となる。しかし、上で説明したように、ＬＰＰフォーマット光ディスクと、ＰＭフォーマット光ディスクではアドレス情報の記録形式が異なるため、ＬＰＰフォーマット光ディスクに対し記録を行うためには、ＬＰＰフォーマット対応の記録装置が必要であり、ＰＭフォーマット光ディスクに対し記録を行うためにはＰＭフォーマット対応の記録装置が必要であった。
【００１１】
【発明が解決しようとする課題】
近年の光ディスク記録装置は、ＤＶＤを始めＣＤ−Ｒ、ＣＤ−ＲＷなど、さまざまな種類の追記型、書き換え型光ディスクに対し記録、再生を行うマルチ光ディスク対応ドライブの実現が、その付加価値を決める重要な要素となっている。記録装置の内部を構成し、各光ディスクに対し信号処理を担う専用回路は、それら光ディスクのフォーマットに応じた信号処理を行うための論理回路を内蔵している。従って回路設計時に想定していない光ディスクに対する信号処理には当然対応できない。これを改善する方法として、それぞれのフォーマットに対応した複数の専用回路を設ける方法、または、複数のフォーマットに対応した専用回路を採用する方法が考えられる。しかし、前者では回路規模が大きくなってしまうためコスト面で不利であり、後者では論理回路の再開発が必要となり、早期のマルチ光ディスク対応ドライブの開発の困難性、および、コスト面で非常に不利となる。
【００１２】
そこで新たに対応する光ディスクに対する信号処理を行いながら、既存の論理回路における信号処理に応じた信号へ変換する変換回路を開発し、光ディスクに対する記録制御、CLV回転制御が可能となる記録装置を構成することが考えられる。従って、記録制御、CLV回転制御を可能とする信号の変換方法、転送方法が必要であり、それが課題である。よって本発明の目的は、上記課題を解消するデータ転送方法及び、光ディスク記録装置を提供することにある。
【００１３】
【課題を解決するための手段】
上記課題は、PMフォーマットの光ディスクからの再生ウォブル信号に対し、位相変調されている光ディスク上のアドレス情報、付加情報を検出し、その検出情報を含むデータを転送する際に検出された一連のアドレス情報から、光ディスク上の記録単位であるデータブロックに対するアドレス情報へ変換し、その変換結果を含む情報をデータ転送する際には、次のデータブロックに相当するウォブルを再生する期間で転送を行い、その期間に含まれ、位相変調されている同期信号の検出タイミングで同期化しながら転送することで、解決することができる。
【００１４】
また、回転制御を行いながらデータブロック単位で記録制御を行う光ディスク記録装置は、PMフォーマット光ディスクのウォブル位相変調部から第１の同期信号、光ディスク上のアドレス情報および付加データを検出する検出手段と、一連のアドレス情報複数よりデータブロックアドレスを判定する手段と、ブロックアドレスを含む転送データに対しLPPフォーマットに準じたデータおよび第２の同期信号を生成し、次のデータブロック期間で第１の転送信号を生成する手段と、光ディスク上のランドプリピット再生で得られる第２の転送信号と、第１の転送信号を選択出力する選択手段、選択後の転送信号に含まれるブロックアドレス、第２の同期信号を検出する手段と、検出ブロックアドレスより目的のトラック位置を特定し、変調信号の生成、出力を制御する手段と、第２の同期信号の出現周期より、光ディスク回転速度を制御する制御手段とを設けることでも解決することができる。
【００１５】
【発明の実施の形態】
図１は、本発明のデータ転送方法及び、光ディスク記録装置について第１の実施例を示す図である。図中、１はPMフォーマットの光ディスク、２は光ディスクに記録可能な光ヘッド、３は光ヘッドに含まれる半導体レーザーの制御を行うレーザードライバ、４は光ディスク１を駆動するスピンドルモータ、５はスピンドルモータ４の回転駆動を制御するモータドライバ、６は光ヘッドのフォトディテクタから検出される信号より、光ディスク１上のトラックに対するウォブル信号を再生すると共に、光ディスクがLPPフォーマットの場合、LPPを検出、LPP信号として再生するAFE（Analog Front End）、７はPMフォーマットの光ディスクに対する信号処理を行い、信号処理により得られるADIPワードの検出情報に対するLPP信号を生成、出力するLPP変換回路、８はLPP信号に対する信号処理により得られるアドレス情報より、光ディスク１上のトラックに対する記録制御、変調信号生成を行うと共に、LPP信号に変調されている同期信号の検出タイミングから光ディスク回転速度を計測し回転制御を行う光ディスクコントロール回路、９は記録装置全体の制御を行うマイコン、１６はマイコン９による光ディスク１の判別に従いAFE6からの検出LPP信号または、生成LPP信号の選択を行うセレクタ１６である。
【００１６】
前記LPP変換回路７は以下に説明する構成要素を含む。ウォブル位相変調部分の検出を行う位相変調部検出回路、位相変調部分の検出結果よりワードシンク、ビットシンクの各同期信号を検出し、検出した各同期信号の出現周期を計測、保護窓により誤検出を回避する同期検出保護回路１０、ビットシンク検出から次の位相変調部分の検出により０データ、１データの判定を行うデータビット判定回路１１、データビットをラッチし、その検出順からADIPワードを構成し、誤り訂正処理を行うデータラッチ訂正回路１２、訂正後のADIPワードからADIPアドレスに対する連続性を検証し、ECCブロックに対するアドレスを決定するアドレス保護回路１３、ワードシンク、ビットシンクそれぞれの検出タイミングから、LPP転送タイミングを生成するフレームタイミング生成回路１４、アドレス保護回路１３で決定したECCアドレスとデータラッチ訂正回路１２にラッチしているAUXデータからLPP転送データを生成、LPP転送タイミングとの同期化を図ったLPP信号を生成するLPP信号生成回路１５より構成される。
【００１７】
前記光ディスクコントロール回路８は以下に説明する構成要素を含む。光ディスク１への記録データであるECCデータに対し８／１６変調処理、同期信号の付加を行うことで記録信号を生成する変調回路１７、LPP信号より検出されたECCアドレスとマイコン９より設定される記録開始ECCアドレスとの一致、マイコン９による記録停止制御により変調回路１７に対する変調信号の生成開始、終了を制御する記録制御回路１８、受信したLPP信号に変調されている同期信号の検出、ECCアドレス、AUXデータを検出するLPP検出回路１９、LPP信号変調された同期信号の検出より生成される回転制御タイミングから、モータドライバ５に対する回転制御信号を生成する回転制御回路２０より構成される。
【００１８】
図４は図１の光ディスク記録装置におけるADIPワードの検出に対するLPP転送データへの変換方法、光ディスク１に対するECCブロックの記録制御方法の一例を示しており、光ディスク記録装置における記録動作の概要を説明する。図４において、ADIPワードは図2（ｂ）に示すように１ワードにつき３バイトのADIPアドレス、１バイトのAUXデータで構成される。図４においてはLPP変換回路７で検出された一連のADIPワードW（N）〜W（N＋ｆ）に対するADIPアドレス値００ｃ０００〜００ｃ００ｆ（１６進数表示）、AUXデータａ（N）〜ａ（N＋ｆ）を示している。光ディスクコントロール回路８においては、光ディスク１への記録単位はECCブロック単位で行われるため、１ECCブロックあたり、４つの連続するADIPアドレスより１ECCアドレスを決定する。
【００１９】
ADIPアドレスとECC先頭アドレスとの対応は、ADIPアドレス値を２ビット右シフト（４で除算）した値となり、ECCアドレス同士も連続値となる。更に決定したECCアドレスはADIPアドレスを検出したトラック位置に対応するECCブロックに対し、次のECCブロックに対するトラック区間でLPP信号として転送される関係から、例えば＋１した値をとり、次のECCブロックに対するLPP信号に含めて転送する。以上の処理はアドレス保護回路１３において行われる。またAUXデータについては１ECCブロックあたり４バイト分が含まれることから、AUXデータ４バイトを検出したECCブロックに対し、次のECCブロックに対するLPP信号に含めて転送する。決定したECCアドレス、AUXデータ４バイトは図３におけるLPPフォーマットの形式に沿ってLPPのパルス列に変換、転送される。説明したECCアドレスの生成は、複数のADIPアドレスより決定した値に対し＋１したアドレス値を採用するのみならず、−１した値、或いは＋１、−１による補正を行わずそのままの値としても構わない。
【００２０】
次に光ディスクコントロール回路８において行われ、転送されたLPP信号に含まれる情報の検出から、光ディスク上の記録トラックへのECCブロックデータの記録制御について説明する。図４において、LPPデコードはLPP検出回路１９で行われ、転送されたLPP信号に含まれる情報の検出結果を示しており、ECCブロック区間の最後のLPP信号を検出した後、ECCアドレス値、AUXデータ４バイトが検出される。記録制御回路１８は検出したECCアドレス値と、マイコン９より設定される記録開始ECCアドレスとの一致を検出し、一致した際には変調回路１７に対し、記録制御信号を生成する。記録制御信号はダミーECCデータの最終８Tから、ECCデータ０に対する変調処理、記録信号の生成を制御し、記録を終了するECCデータ１の終端８Tで記録信号の生成を終了するように制御する。変調回路は記録制御信号に従い、入力されるECCデータに対する変調処理を行いながら記録信号を生成する。記録信号は記録パルスに変調され、光ディスク１上の記録トラック上に、ダミーデータの先頭からのデータフレームとウォブル位置との同期を取りながら記録マークとして形成される。
【００２１】
図５は、図1の光ディスク記録装置において行われ、光ディスク１に対する回転制御を行うためのLPP信号の転送タイミングについて示している。図５において、再生ウォブル信号から、位相変調部分を検出し、その検出周期からワードシンク、ビットシンクが同期検出保護回路１０において検出される。フレームタイミング生成回路１４に含まれるウォブルカウンタはワードシンク或いはビットシンクの出現周期を計測する９３分周カウンタであり、ワードシンクとビットシンクそれぞれの検出タイミングに従いカウンタを同期化する。同期化方法について、ワードシンクの検出タイミングは先頭の位相変調部分から５ウォブル後であり、ウォブルカウンタは“５”にロードされる。ビットシンクの検出タイミングは先頭の位相変調部分から１ウォブル後であり、ウォブルカウンタは“１”にロードされる。次にワードシンク、ビットシンクより同期化が行われたウォブルカウンタ値のデコードからLPP転送タイミングを生成する。
【００２２】
図２のPMフォーマットにおいて、データフレームの先頭は１７番目のウォブル位置に同期しており、LPP転送タイミングはそのウォブル位置同期して生成される。LPP信号生成回路１５ではLPP転送タイミングに同期して、決定したECCアドレス、AUXデータ４バイトを含むLPP転送データをLPP信号として生成する。LPP転送タイミングはワードシンク、ビットシンクは２フレームに1回発生することから、２フレームあたり１回となる。図５の一例においてはワードシンク検出に対するLPP転送タイミングは、偶数系列のLPP同期信号転送の際に同期化され、ビットシンク検出に対するLPP転送タイミングは偶数系列のLPPデータ転送の際に同期化される様子を示している。
【００２３】
従ってLPP転送タイミング、生成されるLPP信号はワードシンク、ビットシンクの検出タイミングの変動を反映することになり、光ディスク回転数の変動を、生成するLPP信号の転送タイミングに反映することが可能となる。
【００２４】
ワードシンク、ビットシンクが未検出の場合にでも、ウォブルカウンタは分周カウンタであることから、前検出でカウンタ同期化を行ったタイミング予測値でLPP転送タイミングを生成、LPP信号の同期化転送が行われる。
【００２５】
図６はLPP変換回路７におけるウォブル位相変調に対するADIPワードの検出処理とLPPデータの生成処理と、光ディスクコントローラ回路８で行われるLPP検出処理、制御タイミングの生成について示している。図６において、LPP転送データは１ECCブロックにつき、１回生成するため、ADIPワードに対する検出処理４回につき、LPPデータの生成処理を１回行う。LPPデータ生成処理の起動は、ADIPアドレスの検出値、その連続性保護後の値から、１ECCブロック中のどの位置にあたるADIPワードであるかを特定し、ECC最終のADIPワードの特定後、ECCアドレス、AUXデータ４バイトを決定しLPPデータを構成、LPP信号を転送する。
【００２６】
光ディスクコントローラ回路８においては転送されたLPP信号からそれに含まれるECCアドレス、AUXデータの検出を行うと共に、回転制御タイミングを生成する。図６においては回転制御タイミングの一例として、１セクタ（26フレーム）単位で同期化したタイミングを示している。この例では１セクタ先頭に位置する偶数位置のLPP同期信号の検出によるタイミング同期化で行う。回転制御タイミングは回転制御回路２０において、そのパルス出現周期と基準タイミングとの位相比較により制御信号を生成、目的の回転数で光ディスク回転制御が行われる。
【００２７】
LPP同期信号が未検出であっても前検出からの予測位置からタイミング信号を内挿入し、タイミング信号の欠落を防止し、安定した回転制御を行う。
【００２８】
図７は、本発明のデータ転送方法及び、光ディスク記録装置について第２の実施例を示す図である。図中、６は光ヘッドのフォトディテクタから検出される信号より、光ディスク１がLPPフォーマットの場合、LPPを検出、LPP信号として再生し、光ディスク１がPMフォーマットの場合、ディスク上のトラックに対するウォブル検出からPM信号を再生するAFE（Analog Front End）、２４はLPPフォーマットの光ディスクに対する信号処理を行い、得られるLPPデータに対するPM信号を生成、出力するPM変換回路、８はPM信号に対する信号処理より得られるアドレス情報から、光ディスク１上のトラックに対する記録制御、変調信号生成を行うと共に、PM信号に変調されている同期信号の検出タイミングから光ディスク回転速度を計測、回転制御を行う光ディスクコントロール回路、１６はマイコン９による光ディスク１の判別に従いAFE 6からの検出PM信号または、生成PM信号の選択を行うセレクタ１６、２２は転送されたPM信号に対する同期信号の検出、ADIPアドレス、AUXデータの検出を行うPM検出回路であり、その他については図1と同一の符号を付けることで説明を省略する。
【００２９】
前記PM変換回路２４は以下に説明する構成要素を含む。再生LPP信号に変調されている同期信号LPPシンク（偶数、奇数フレーム）を検出、検出した各同期信号の出現周期を計測、保護窓により誤検出を回避する同期検出保護回路１０、LPPシンク以降のLPP信号に対しデータ０、データ１の判定を行うデータビット判定回路１１、データビットをラッチ、そのラッチ順からLPPデータを構成し、誤り訂正処理を行うデータラッチ訂正回路１２、訂正後のLPPデータから得られるECCアドレス値の連続性を検証し、ADIPアドレスを決定するアドレス保護回路１３、LPPシンクの検出タイミングから、PM転送タイミングを生成するフレームタイミング生成回路１４、アドレス保護回路１３で決定したADIPアドレスとデータラッチ訂正回路１２にラッチしているAUXデータからPM転送データを生成、PM転送タイミングで同期化を行いながらPM信号を出力するPM信号生成回路１５より構成される。
【００３０】
図８は図７の光ディスク記録装置において行われる検出LPPデータからPM転送データへの変換方法、光ディスク１に対するECCブロックの記録制御方法の一例を示しており、光ディスク記録装置における記録動作の概要を説明する。図８において、LPPデータは図３(ｃ)示すように３バイトのECCアドレス、６バイトのAUXデータ、パリティA、Bで構成される。図８においてはPM変換回路２４で検出された一連のLPPデータD（N）〜D（N＋３）に対するECCアドレス値００３００〜００３０３、AUXデータａ（N）〜ａ（N＋23）を示している。光ディスクコントロール回路８において、光ディスク１への記録単位はECCブロック単位で行われ、PM検出回路２２はPMフォーマットに対するワードシンク、ビットシンクの各同期信号検出、ADIPアドレス、AUXデータの検出を行う。LPPデータの検出で得られるECCアドレスに対するADIPアドレスについてはLPPアドレス値を２ビット左シフト（４で乗算）した値に対し、下位2ビットに０〜３を順に内挿入した連続値を与える。更に図２（a）に示すようにADIPアドレスはLPPデータを検出したトラック区間に相当するECCブロックに対し、次のECCブロック手前32T×16wobbleからECCブロック終端32T×16wobble前に対するトラック区間でPM信号として転送され、その区間でADIPアドレス４つが含まれることからADIPアドレスに対し例えば＋４した値を与え、PM信号として転送する。またAUXデータについてはLPPデータ当たり６バイト存在し、その中から転送に必要な４バイトデータを選択後（図8ではその一例として、６バイトのAUXデータの中で先頭４バイトを選択）、ADIPアドレスと併せてPM信号に変調し転送する。決定したADIPアドレス、AUXデータ４バイトのビットデータは図２(ａ)に示すPMフォーマットの形式に沿ってパルス列に変換、PM信号として変調される。なお説明したADIPアドレスの生成は、検出したECCアドレス値に対し＋４したアドレス値を採用するのみならず、−４した値、或いは＋４、−４による補正を行わずそのままの値としても構わない。
【００３１】
次に光ディスクコントロール回路８において行われ、転送されたPM信号に変調されている情報の検出から、光ディスク上の記録トラックへのECCブロックデータの記録制御について説明する。図８においてはPM検出回路２２において行われ、転送されたPM信号に含まれる情報の検出結果を示しており、ADIPワード最後のビットシンク、データビットの検出後、ADIPアドレス値、AUXデータ１バイトを検出する。記録制御回路１８は検出したADIPアドレス値と、マイコン９より設定される記録開始ADIPアドレスとの一致を検出し、一致した際には変調回路１７に対し、記録制御信号を生成する。記録制御信号は一例としてECCデータ０の先頭３２バイト以降から変調処理、記録信号の生成開始を制御し、記録を終了するダミーECCデータ先頭３２バイトで記録信号の生成を終了するよう制御する。変調回路は記録制御信号に従い、入力されるECCデータに対する変調処理を行いながら記録信号を生成する。記録信号は記録パルスに変調され、光ディスク１上の記録トラック上に、ダミーデータの先頭からのデータフレームとウォブル位置との同期を取りながら記録マークとして形成される。
【００３２】
図９は、図７の光ディスク記録装置において行われ、光ディスク１に対する回転制御を行うためのPM信号の転送タイミング、PM信号の生成方法について示している。図９において、再生LPP信号から偶数フレーム位置或いは奇数フレーム位置に対するLPPシンクを検出、検出周期の計測、保護によるLPPシンクの検出が同期検出保護回路１０で行われる。フレームタイミング生成回路１４に含まれるフレーム数カウンタはLPPシンクの検出から１セクタ２６フレームの位置を示し、フレームカウンタは１フレーム内の位置（1488T）を示す。それぞれのカウンタは、LPPシンクの検出、それ以降のデータビット検出により同期化される。
【００３３】
PM転送タイミングは、図２（ａ）に示すようにPMフォーマットにおけるフレーム先頭と、ワードシンク、ビットシンク先頭位置の関係がフレーム前方32T×16wobble＝512Tであることから、フレームカウンタの最大値1487−512をデコードすることで生成される。更にPM信号の生成について、ワードシンク生成はフレーム数カウンタ値が25の際のPM転送タイミングで生成、フレームカウンタ値のデコードにより32T×4wobble=128T幅を生成する。ビットシンク生成も同様の方法で、２フレーム毎、32T×1wobble幅を生成、データビット生成も同様に、転送するデータビット値（０または１）によりデータ０、またはデータ１に対する生成位置に32T×2wobble幅を生成する。
【００３４】
従ってPM転送タイミング、生成されるPM信号は、LPPの検出周期変動に追従するフレームカウンタにより、光ディスク回転数の変動がPM信号の転送タイミングに反映されることになる。
【００３５】
なお、フレーム数カウンタ、フレームカウンタは分周カウンタであり、LPPシンクが未検出の場合にでも、前回の検出でカウンタ同期化を行った予測タイミングでPM転送タイミングが生成され、PM信号の同期化転送が行われる。
【００３６】
図１０はPM変換回路２４におけるLPPデータの検出処理、PMデータの生成処理と光ディスクコントローラ回路８で行われるPM検出処理、回転制御タイミングの生成について示している。図１０において、１ECCブロックにつき１回のLPPデコード処理、PMデータの生成が行われる。更に転送されたPM信号に対するADIPデコード処理は１ECCブロックにつき４回行われる。また光ディスクコントローラ回路８においては転送されたPM信号に対するADIPデコード処理を行うと共に、回転制御タイミングを生成する。図１０においては回転制御タイミングの一例として、ワードシンク、ビットシンクの検出により同期化される様子を示している。回転制御回路２０において、回転制御タイミングのパルス出現周期と基準タイミングとの位相比較により制御信号を生成、目的の回転数で光ディスク回転制御が行われる。
【００３７】
なおPM信号に含まれるワードシンク、ビットシンクが未検出であっても前回の検出から生成される予測タイミングでパルスを内挿、パルス欠落を防止し、安定した回転制御を行う。なお回転制御タイミングのワードシンク、ビットシンク同期化については、ワードシンクのみの同期化や、ビットシンク列K（Kは正の整数）個につき１回同期化する方法も考えられる。
【００３８】
【発明の効果】
以上説明したように本発明によると、PMフォーマットの光ディスクに対する記録制御、光ディスク回転制御を、LPPフォーマットの光ディスクに対応した光ディスク記録装置において行うことが可能となる。更に生成したLPP信号と、LPPフォーマットの光ディスクより再生されるLPP信号の選択手段を設けることで、PMフォーマット、LPPフォーマットそれぞれの光ディスク記録に対応した光ディスク記録装置を構成可能となる。
【００３９】
また、LPPフォーマットの光ディスクに対する記録制御、光ディスク回転制御を、PMフォーマットの光ディスクに対応した光ディスク記録装置において行うことが可能となる。更に生成したPM信号と、PMフォーマットの光ディスクより再生されるPM信号の選択手段を設けることで、PMフォーマット、LPPフォーマットそれぞれの光ディスク記録に対応した光ディスク記録装置を構成可能となる。
【図面の簡単な説明】
【図１】  本発明による光ディスク記録装置の第1の実施例を示す図。
【図２】  PMフォーマットの構成例を示す図。
【図３】  LPPフォーマットの構成例を示す図。
【図４】  LPP転送データの生成、光ディスクへの記録動作を示す図。
【図５】  ワード、ビットシンク検出タイミングによるLPP信号の同期化方法を示す図。
【図６】  ADIPワードの検出、LPPデータ生成動作の関係、回転CLV制御タイミング生成を示す図。
【図７】本発明による光ディスク記録装置の第２の実施例を示す図。
【図８】PM転送データの生成、光ディスクへの記録動作を示す図。
【図９】LPP同期信号の検出タイミングによるPM信号の同期化方法を示す図。
【図１０】LPPデータの検出、PMデータ生成動作の関係、回転制御タイミング生成を示す図。
【符号の説明】
１…光ディスク、２…光ヘッド、３…レーザードライバ、４…スピンドルモータ、５…モータドライバ、６…アナログフロントエンド、７…LPP変換回路、８…光ディスクコントロール回路、９…マイコン、１０…同期検出保護回路、１１…データビット判定回路、１２…データラッチ訂正回路、１３…アドレス保護回路、１４…フレームタイミング生成回路、１５…LPP信号生成回路、１６…セレクタ、１７…変調回路、１８…記録制御回路、１９…LPP検出回路、２０…回転制御回路、２１…位相変調部検出回路、２２…PM検出回路、２３…PM信号生成回路、２４…PM変換回路。
【図１】
0004636756.tif 000002
【図２】
0004636756.tif 000003
【図３】
0004636756.tif 000004
【図４】
0004636756.tif 000005
【図５】
0004636756.tif 000006
【図６】
0004636756.tif 000007
【図７】
0004636756.tif 000008
【図８】
0004636756.tif 000009
【図９】
0004636756.tif 000010
【図１０】
0004636756.tif 000011